(57)【要約】【課題】簡単な操作でロック状態の設定を切り換えることができる携帯電子機器、制御方法、および、制御プログラムを提供することを課題とする。【解決手段】本発明は、表示部にロック画面を表示している状態で、操作部を介して第１接触操作の入力が検出された場合、誤操作防止ロック状態を解除し、操作部を介して第２接触操作の入力が検出された場合、誤操作防止ロック状態とは異なる解除操作を要する不正使用防止ロック状態とすることで上記課題を解決する。【選択図】図３
2013051680.tif 000002
【特許請求の範囲】
【請求項１】
誤操作防止ロック状態を示すロック画面を表示する表示部と、
接触操作の入力を受け付ける操作部と、
前記表示部に前記ロック画面を表示している状態で、前記操作部を介して第１接触操作の入力が検出された場合、前記誤操作防止ロック状態を解除し、前記操作部を介して第２接触操作の入力が検出された場合、前記誤操作防止ロック状態とは異なる解除操作を要する不正使用防止ロック状態に遷移させる制御部と、
を備えることを特徴とする携帯電子機器。
【請求項２】
前記不正使用防止ロック状態とは、前記誤操作防止ロック状態よりも複雑な解除動作を要することを特徴とする請求項１に記載の携帯電子機器。
【請求項３】
前記第１接触操作は、前記第２接触操作と接触を開始する位置が同じであり、その後の操作の少なくとも一部が異なることを特徴とする請求項１または２に記載の携帯電子機器。
【請求項４】
前記ロック画面は、前記誤操作防止ロック状態を解除する操作を入力する対象のオブジェクトを含み、
前記第１接触操作および前記第２接触操作は、接触を開始する位置が前記オブジェクトを表示している領域であることを特徴とする請求項３に記載の携帯電子機器。
【請求項５】
前記第１接触操作は、前記オブジェクトに接触した後、予め設定された軌跡をスイープする操作であり、
前記第２接触操作は、前記予め設定された軌跡とは異なる軌跡でスイープする操作であることを特徴とする請求項４に記載の携帯電子機器。
【請求項６】
前記第１接触操作は、前記オブジェクトに接触した後、設定されたゴール地点までスイープする操作であり、
前記第２接触操作は、前記ゴール地点とは異なる地点までスイープする操作であることを特徴とする請求項４に記載の携帯電子機器。
【請求項７】
前記第２接触操作は、前記オブジェクトに接触した後に、前記オブジェクトを回転させる操作を含むことを特徴とする請求項４または５に記載の携帯電子機器。
【請求項８】
前記第２接触操作は、前記オブジェクトを前記ロック画面の外部に向けて移動させる操作であることを特徴とする請求項６に記載の携帯電子機器。
【請求項９】
前記ロック画面は、前記ロック状態を示すロック状態表示オブジェクトを表示しており、
前記第２接触操作は、前記ロック状態表示オブジェクトの状態を変化させることを示唆する操作であることを特徴とする請求項１から８のいずれか一項に記載の携帯電子機器。
【請求項１０】
前記制御部は、前記表示部に画像を表示させていない省電力状態で、前記操作部を介して前記省電力状態からの復帰操作を検出した場合、前記表示部に前記ロック画面を表示させることを特徴とする請求項１から９のいずれか一項に記載の携帯電子機器。
【請求項１１】
表示部と、接触操作の入力を受け付ける操作部と、を備える携帯電子機器の制御方法であって、
前記表示部に誤操作防止ロック状態を示すロック画面を表示するロック画面表示ステップと、
前記表示部に前記ロック画面を表示している状態で、前記操作部を介して操作を検出する操作検出ステップと、
前記操作検出ステップで第１接触操作の入力が検出された場合、前記誤操作防止ロック状態を解除するステップと、
前記操作検出ステップで第２接触操作の入力が検出された場合、前記誤操作防止ロック状態とは異なる解除操作を要する不正使用防止ロック状態に遷移させるステップと、
を含むことを特徴とする制御方法。
【請求項１２】
表示部と、接触操作の入力を受け付ける操作部と、を備える携帯電子機器に、
前記表示部に誤操作防止ロック状態を示すロック画面を表示するロック画面表示ステップと、
前記表示部に前記ロック画面を表示している状態で、前記操作部を介して操作を検出する操作検出ステップと、
前記操作検出ステップで第１接触操作の入力が検出された場合、前記誤操作防止ロック状態を解除するステップと、
前記操作検出ステップで第２接触操作の入力が検出された場合、前記誤操作防止ロック状態とは異なる解除操作を要する不正使用防止ロック状態に遷移させるステップと、
を実行させることを特徴とする制御プログラム。
【発明の詳細な説明】
【技術分野】
【０００１】
本発明は、携帯電子機器、制御方法、および、制御プログラムに関する。
【背景技術】
【０００２】
近年、スマートフォン等のタッチパネル端末が一般化している（特許文献１参照）。また、タッチパネル端末には、誤操作や他人による不正利用を防止することを目的に、画面ロックする機能が存在する（特許文献２参照）。
【先行技術文献】
【特許文献】
【０００３】
【特許文献１】特開２０１０−３９７７２号公報
【特許文献２】特開２００８−１８２４６９号公報
【発明の概要】
【発明が解決しようとする課題】
【０００４】
ここで、画面のロック状態には、主として、誤操作の防止を目的とするロック状態と不正使用の防止を目的とするロック状態との２つのロック状態がある。誤操作の防止を目的とするロック状態と不正使用の防止を目的とするロック状態とは、使用目的が異なるため、解除方法も異なる方法となる。通常、誤操作の防止を目的とするロック状態は、不正使用の防止を目的とするロック状態よりも簡単な操作で解除することができる。
【０００５】
携帯電子機器は、ロック状態を解除した状態での設定操作が行われることで、２つのロック状態のどちらを実行するのか、両方実行するのか、いずれも実行しないかを切り換える。このため、利用者は、ロック状態の設定を切り換えるためには、ロック状態を解除した後、設定画面を開いて設定操作を入力するという複数の操作を行うことになり、操作が面倒である。
【０００６】
本発明は、上記問題点に鑑みてなされたもので、簡単な操作でロック状態の設定を切り換えることができる携帯電子機器、制御方法、および、制御プログラムを提供することを目的とする。
【課題を解決するための手段】
【０００７】
上述した課題を解決し、目的を達成するために、本発明に係る携帯電子機器は、誤操作防止ロック状態を示すロック画面を表示する表示部と、接触操作の入力を受け付ける操作部と、前記表示部に前記ロック画面を表示している状態で、前記操作部を介して第１接触操作の入力が検出された場合、前記誤操作防止ロック状態を解除し、前記操作部を介して第２接触操作の入力が検出された場合、前記誤操作防止ロック状態とは異なる解除操作を要する不正使用防止ロック状態に遷移させる制御部と、を備えることを特徴とする。
【０００８】
また、前記不正使用防止ロック状態とは、前記誤操作防止ロック状態よりも複雑な解除動作を要することが好ましい。
【０００９】
また、前記第１接触操作は、前記第２接触操作と接触を開始する位置が同じであり、その後の操作の少なくとも一部が異なることが好ましい。
【００１０】
また、前記ロック画面は、前記誤操作防止ロック状態を解除する操作を入力する対象のオブジェクトを含み、前記第１接触操作および前記第２接触操作は、接触を開始する位置が前記オブジェクトを表示している領域であることが好ましい。
【００１１】
また、前記第１接触操作は、前記オブジェクトに接触した後、予め設定された軌跡をスイープする操作であり、前記第２接触操作は、前記予め設定された軌跡とは異なる軌跡でスイープする操作であることが好ましい。
【００１２】
また、前記第１接触操作は、前記オブジェクトに接触した後、設定されたゴール地点までスイープする操作であり、前記第２接触操作は、前記ゴール地点とは異なる地点までスイープする操作であることが好ましい。
【００１３】
また、前記第２接触操作は、前記オブジェクトに接触した後に、前記オブジェクトを回転させる操作を含むことが好ましい。
【００１４】
また、前記第２接触操作は、前記オブジェクトを前記ロック画面の外部に向けて移動させる操作であることが好ましい。
【００１５】
また、前記ロック画面は、前記ロック状態を示すロック状態表示オブジェクトを表示しており、前記第２接触操作は、前記ロック状態表示オブジェクトの状態を変化させることを示唆する操作であることが好ましい。
【００１６】
また、前記制御部は、前記表示部に画像を表示させていない省電力状態で、前記操作部を介して前記省電力状態からの復帰操作を検出した場合、前記表示部に前記ロック画面を表示させることが好ましい。
【００１７】
上述した課題を解決し、目的を達成するために、本発明は、表示部と、接触操作の入力を受け付ける操作部と、を備える携帯電子機器の制御方法であって、前記表示部に誤操作防止ロック状態を示すロック画面を表示するロック画面表示ステップと、前記表示部に前記ロック画面を表示している状態で、前記操作部を介して操作を検出する操作検出ステップと、前記操作検出ステップで第１接触操作の入力が検出された場合、前記誤操作防止ロック状態を解除するステップと、前記操作検出ステップで第２接触操作の入力が検出された場合、前記誤操作防止ロック状態とは異なる解除操作を要する不正使用防止ロック状態に遷移させるステップと、を含むことを特徴とする。
【００１８】
上述した課題を解決し、目的を達成するために、本発明に係る制御プログラムは、表示部と、接触操作の入力を受け付ける操作部と、を備える携帯電子機器に、前記表示部に誤操作防止ロック状態を示すロック画面を表示するロック画面表示ステップと、前記表示部に前記ロック画面を表示している状態で、前記操作部を介して操作を検出する操作検出ステップと、前記操作検出ステップで第１接触操作の入力が検出された場合、前記誤操作防止ロック状態を解除するステップと、前記操作検出ステップで第２接触操作の入力が検出された場合、前記誤操作防止ロック状態とは異なる解除操作を要する不正使用防止ロック状態に遷移させるステップと、を実行させることを特徴とする。
【発明の効果】
【００１９】
この発明によれば、簡単な操作でロック状態の設定を誤操作防止ロック状態から不正使用防止ロック状態に切り換えることができるという効果を奏する。
【図面の簡単な説明】
【００２０】
【図１】図１は、携帯電話端末の外観を示す正面図である。
【図２】図２は、携帯電話端末の機能的な構成を示すブロック図である。
【図３】図３は、携帯電話端末の動作の一例を示す説明図である。
【図４】図４は、携帯電話端末の動作の一例を示す説明図である。
【図５】図５は、携帯電話端末の処理の一例を示すフローチャートである。
【図６】図６は、携帯電話端末の動作の一例を示す説明図である。
【図７】図７は、ロック画面の一例を示す説明図である。
【図８】図８は、携帯電話端末の動作の一例を示す説明図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話端末について説明するが、本発明の適用対象は携帯電話端末に限定されるものではなく、各種携帯電子機器、例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ゲーム機等に対しても本発明は適用できる。
【００２２】
まず、図１を参照しながら、本発明に係る携帯電子機器の一実施形態である携帯電話端末１の外観について説明する。図１は、携帯電話端末の外観を示す正面図である。図１に示すように、携帯電話端末１は、筐体１５を有し、その筐体１５の表面にタッチセンサ２Ａおよび表示部２Ｂで構成されるタッチパネル２と、入力部３と、レシーバ７と、マイク８と、を備える。
【００２３】
携帯電話端末１は、図１に示すように、筐体１５の正面側にタッチパネル２と、入力部３と、レシーバ７と、マイク８と、が配置されている。なお、タッチパネル２は、筐体１５の正面側の略全域に配置されている。また、入力部３とマイク８とは、筐体１５の正面側の長手方向の一方の端部に配置されている。レシーバ７は、筐体１５の正面側の長手方向の他方の端部に配置されている。つまり、レシーバ７とマイク８とは、長手方向の両端にそれぞれ配置されている。ここで、タッチパネル２は、筐体１５の正面側に設けられ、文字、図形、画像等を表示するとともに、接触を検出する。携帯電話端末１は、タッチパネル２が検出する接触に基づいて、指、スタイラス、ペン等（以下、単に「指」という）を用いてタッチパネル２に対して行われる各種操作（ジェスチャ）を検出する。また、入力部３は、所定の機能が割り当てられた第１ボタン３Ａおよび第２ボタン３Ｂ等の複数のボタンからなる。
【００２４】
次に、図２を参照しながら、携帯電話端末１の機能的な構成について説明する。図２は、携帯電話端末１の機能的な構成を示すブロック図である。図２に示すように、携帯電話端末１は、タッチパネル２と、入力部３と、電源部５と、通信部６と、レシーバ７と、マイク８と、記憶部９と、制御部１０と、ＲＡＭ（Ｒａｎｄｏｍ  Ａｃｃｅｓｓ  Ｍｅｍｏｒｙ）１１と、を有する。なお、本実施形態では、タッチセンサ２Ａと入力部３とが操作部となる。
【００２５】
タッチパネル２は、文字、図形、画像等の各種の情報を表示する第１の機能を有する。タッチパネル２は、表示されたアイコン、ボタン、文字入力領域等の所定領域に対する接触を検出する第２の機能を有する。タッチパネル２は、タッチセンサ２Ａと、表示部２Ｂとを重畳して構成される。このタッチセンサ２Ａと表示部２Ｂとは、構成材料の一部を共有することが可能である。
【００２６】
タッチセンサ２Ａは、タッチパネル２の表面に対して行われる接触を検出し、検出した接触に応じた信号を制御部１０へ出力する。これにより、制御部１０は、タッチパネル２に対して行われる操作（ジェスチャ）を検出（判定）する。すなわち、タッチセンサ２Ａは、操作の入力を受け付ける操作部として機能する。タッチセンサ２Ａが接触を検出する方式は、静電容量方式、抵抗膜方式、表面弾性波方式（または超音波方式）、赤外線方式、電磁誘導方式、および荷重検出方式等の任意の方式でよい。タッチセンサ２Ａを介して検出される操作には、タップ操作、ダブルタップ操作、ロングタップ操作、スイープ（スワイプ）操作、およびフリック操作等が含まれる。なお、本実施形態では、第１の操作および第２の操作は、タップ操作、ダブルタップ操作、ロングタップ操作、スイープ（スワイプ）操作、およびフリック操作等を含むものとする。
【００２７】
タップ操作とは、指をタッチパネル２に接触させた後すぐにタッチパネル２から離す操作である。ダブルタップ操作とは、指をタッチパネル２に接触させた後すぐにタッチパネル２から離す動作を２回繰り返す操作である。ロングタップ操作とは、指をタッチパネル２に接触させ、指がタッチパネル２に接触した状態を一定時間保った後に指をタッチパネル２から離す操作である。スイープ操作とは、指をタッチパネル２に接触させたままで移動させる操作である。スイープ操作は、タッチパネル２に表示されている何らかのオブジェクトがその操作に追随して移動する場合、ドラッグ操作と呼ばれることがある。フリック操作とは、指をタッチパネル２に接触させた後、素早く払うように指を一方方向に高速で移動させながら指を離す操作である。
【００２８】
表示部２Ｂは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、または無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等などで構成され、文字や図形等を表示する。表示部２Ｂは、制御部１０から入力される制御信号に従って各種の情報を表示する。
【００２９】
入力部３は、物理的なボタン等を通じて利用者の操作を受け付け、受け付けた操作に対応する信号を制御部１０へ送信する。これにより、制御部１０は、制御部１０に対して行われる操作を検出（判定）する。すなわち、入力部３は、操作の入力を受け付ける操作部として機能する。電源部５は、蓄電池または外部電源から得られる電力を、制御部１０を含む携帯電話端末１の各機能部へ供給する。
【００３０】
通信部６は、基地局によって割り当てられるチャネルを介し、基地局との間でＣＤＭＡ方式などによる無線信号回線を確立し、基地局との間で電話通信及び情報通信を行う。レシーバ７は、制御部１０から送信される音声信号を音声として出力する。マイク８は、利用者等の音声を音声信号へ変換して制御部１０へ送信する。
【００３１】
記憶部９は、例えば、不揮発性メモリや磁気記憶装置であり、制御部１０での処理に利用されるプログラムやデータを記憶している。なお、記憶部９は、メモリーカード等の可搬の記憶媒体と、記憶媒体の読み取り装置との組み合わせとして構成されていてもよい。
記憶部９は、メールプログラム９Ａと、ブラウザプログラム９Ｂと、ロック画面制御プログラム９Ｃと、を記憶している。また、記憶部９は、テキストエディタ、画像ビューアー、および、スケジューラー等のアプリケーションを実行するためのアプリケーションプログラムを更に記憶するものとする。また、記憶部９は、携帯電話端末１の基本的な機能を実現するオペレーティングシステムプログラムやアドレス帳データ等のその他のプログラムやデータも記憶する。また、記憶部９は、データとして、ロック画面データ９Ｄを保存している。
【００３２】
メールプログラム９Ａは、電子メール機能を実現するための機能を提供する。ブラウザプログラム９Ｂは、ＷＥＢブラウジング機能を実現するための機能を提供する。ロック画面制御プログラム９Ｃは、ロック画面を表示する表示部２Ｂを制御する機能、ロック画面の設定および解除する機能等を実現するための機能を提供する。
【００３３】
ロック画面データ９Ｄは、ロック画面制御プログラム９Ｃを実行して表示する各種画像のデータを有する。ロック画面データ９Ｄは、ロック画面に表示させるオブジェクト、メッセージ等のデータを記憶している。ここで、ロック画面とは、所定の操作を検出しない限り、待受画面に移行しない画面である。つまり、ロック画面は、所定の操作が入力されるまで、携帯電話端末１の種々の機能を操作できないロック状態にある場合に表示する画面である。本実施形態のロック画面は、所定の操作を検出する領域に入力された操作に基づいて表示を変更するオブジェクトを表示する。また、待受画面とは、電話の発着信を待ち受けている状態の画面、またはアプリケーションプログラムの起動を待ち受けている状態の画面（所謂、ホーム画面）である。換言すると、待受画面は、制御部１０が表示部２Ｂに表示させる複数のアプリケーションの操作画面へ画面が変わる前の画面である。操作画面は、携帯電話端末１が有するアプリケーションの機能を利用者に提供するための画面である。携帯電話端末１が有するアプリケーションの機能は、例えば、他の携帯電話端末との通話機能や、メール送受信機能、携帯電話端末１が備えるカメラによる撮像機能や、オーディオビジュアル機能、テキスト編集機能、画像編集機能、および、スケジュール管理機能などである。例えば、利用者は、予め好みの画像や、時計等の状態表示を待受画面として設定している。ここで、待受画面は、壁紙（Ｗａｌｌ  Ｐａｐｅｒ）とも呼ばれる。
【００３４】
制御部１０は、例えば、ＣＰＵ（Ｃｅｎｔｒａｌ  Ｐｒｏｃｅｓｓｉｎｇ  Ｕｎｉｔ）であり、携帯電話端末１の動作を統括的に制御して各種の機能を実現する。具体的には、制御部１０は、記憶部９に記憶されているデータやＲＡＭ１１に展開したデータを必要に応じて参照しつつ、記憶部９に記憶されているプログラムに含まれる命令を実行して、表示部２Ｂや、通信部６等を制御することによって各種機能を実現する。なお、制御部１０が実行するプログラムや参照するデータは、通信部６による無線通信でサーバ装置からダウンロードすることとしてもよい。
【００３５】
制御部１０は、例えば、メールプログラム９Ａを実行することによって、電子メール機能を実現する。また、制御部１０は、ブラウザプログラム９Ｂを実行することによって、ＷＥＢブラウジング機能を実現する。また、制御部１０は、ロック画面制御プログラム９Ｃを実行することによって、ロック画面を表示する表示部２Ｂを制御する機能、ロック画面の設定および解除する機能等を実現する。
【００３６】
ＲＡＭ１１は、制御部１０によって実行されるプログラムの命令、制御部１０が参照するデータ、制御部１０の演算結果等が一時的に記憶される記憶領域として利用される。
【００３７】
続いて、図３から図５を参照しながら、上述の携帯電話端末１の制御部１０が実行する制御の例について説明する。図３は、携帯電話端末の動作の一例を示す説明図である。図４は、携帯電話端末の動作の一例を示す説明図である。図５は、携帯電話端末の処理の一例を示すフローチャートである。
【００３８】
図３および図４を用いて、携帯電話端末がロック画面を表示している状態で実行する動作の一例を説明する。まず、図３を用いて携帯電話端末がロック画面を表示している状態で高度ロック設定操作（第２接触操作）が入力された場合に実行する処理について説明する。利用者は、例えば、省電力モード（表示部２Ｂを消灯するモード）から復帰する操作等、ロック画面を表示させる操作を入力する。本実施形態の携帯電話端末１は、例えば、省電力モード（表示部２Ｂを消灯するモード）から復帰する操作を検出した場合、ステップＳ１に示すロック画面２０を表示させる。ここでロック画面２０は、誤検出防止ロック状態の際に表示する画面である。
【００３９】
図３のステップＳ１に示すロック画面２０は、時計画像２５とオブジェクトユニット２６とが配置されている。時計画像２５は、現在の日時を表示する画像であり、時間とともに表示される日時が変化する。時計画像２５は、時計機能を有するアプリケーションで作成される画像である。オブジェクトユニット２６は、表示している画面が誤操作防止ロック状態であることを示し、かつ、誤操作防止ロック状態を解除する操作を入力する対象のオブジェクトのユニットであり、オブジェクト２７と、オブジェクト２８と、メッセージ２９と、を有する。なお、ステップＳ１のロック状態は、誤操作防止ロック状態である。オブジェクト２７は、鍵の画像で表示されるアイコンである。オブジェクト２８は、錠前の画像で表示されるアイコンである。メッセージ２９は、「ロック解除」の文字列であり、オブジェクトユニット２６がロック解除を入力するためのオブジェクトであることを示唆している。本実施形態のオブジェクトユニット２６は、オブジェクト２７が操作可能なオブジェクトであり、オブジェクト２８が操作できないオブジェクトである。オブジェクト２７は、利用者により、オブジェクト２７の表示領域を接触開始点とするスイープ操作が入力された場合、オブジェクトの２７の表示位置がスイープ操作の接触位置の移動にあわせて移動される。これに対して、オブジェクト２８は、オブジェクト２８の表示領域を接触開始点とするスイープ操作が入力された場合でも、表示位置が移動しない。
【００４０】
また、ロック画面２０は、時計画像２５とオブジェクトユニット２６の背後に、壁紙２１が表示される。本実施形態では、山と雲の画像が壁紙２１として用いられているが、携帯電話端末１は、任意の画像を壁紙２１として表示することができる。携帯電話端末１が壁紙２１として用いる画像は、例えば、利用者の設定に従って決定される。タッチパネル２の上端には、通知領域２２が設けられている。通知領域２２には、充電池の残量を示す残量マーク２３、及び通信用の電波の電界強度を示す電波レベルマーク２４等が表示される。このように、通知領域２２は、利用者に対して各種の通知を行うために用いられる。なお、通知領域２２は、ロック画面２０以外の画面でも設けられることがある。
【００４１】
次に、利用者は、携帯電話端末１のタッチパネル２にロック画面２０を表示している状態で、ステップＳ２に示すように、オブジェクト２７に指Ｆを接触させる。携帯電話端末１は、タッチパネル２のタッチセンサ２Ａで指Ｆの接触を検出した場合、指Ｆの接触位置に表示しているオブジェクト２７が指定されている状態とし、指Ｆの接触位置の移動に対応して指定されたオブジェクト２７の表示位置を移動させる状態とする。
【００４２】
利用者は、オブジェクト２７の表示位置に指Ｆを接触させた後、ステップＳ３に示すように、指Ｆをタッチパネル２の外側まで移動させるスイープ操作を入力する。つまり、利用者は、指Ｆをタッチパネル２に接触させた状態を維持しつつ、指Ｆを矢印α方向に移動させ、指Ｆをタッチパネル２の縁まで移動させ、さらに、指Ｆをタッチパネル２よりも外側まで移動させる。より具体的には、利用者は、指Ｆで指定しているオブジェクトがオブジェクト２７ａとなる位置まで移動させるように指Ｆを矢印α方向に移動させる。携帯電話端末１は、利用者によって入力された、オブジェクト２７に接触した指Ｆをタッチパネル２よりも外側に移動させるスイープ操作を検出した場合、ステップＳ３に示すロック画面２０ａを表示させる。ロック画面２０ａは、オブジェクト２７がない画面である。つまり、携帯電話端末１は、スイープ操作にあわせてオブジェクト２７の表示位置を移動させ、スイープ操作がタッチパネル２のロック画面２０の端部まで継続すると、画面の外に向けてスイープ操作が入力されたと判定し、オブジェクト２７を表示領域の外に移動させ、表示しない状態とする。
【００４３】
携帯電話端末１は、その後、ロック状態を誤操作防止ロック状態から不正使用防止ロック状態に切り換え、ステップＳ４に示すロック画面２０ｂを表示させる。つまり、携帯電話端末１は、オブジェクト２７をロック画面２０（タッチパネル２の画面）の外に移動させる操作を不正使用防止ロック状態に移行する操作として記憶しており、当該操作を検出した場合、誤操作防止ロック状態から不正使用防止ロック状態に移行する。ロック画面２０ｂは、現在の時刻を示す時計画像２５と、オブジェクト３０とが配置されている。
【００４４】
また、ロック画面２０ｂは、時計画像２５とオブジェクト３０の背後に、壁紙２１ａが表示される。本実施形態では、無地の画像が壁紙２１ａとして用いられている。タッチパネル２の上端には、通知領域２２が設けられている。通知領域２２には、充電池の残量を示す残量マーク２３、及び通信用の電波の電界強度を示す電波レベルマーク２４等が表示される。
【００４５】
オブジェクト３０は、表示している画面が不正使用防止ロック状態であることを示し、かつ、不正使用防止ロック状態を解除する操作を入力する対象のオブジェクトである。携帯電話端末１は、画面２０ｂを表示させている状態で、オブジェクト３０に対して予め設定した軌跡の操作（主にスイープ操作）が入力された場合、不正使用防止ロック状態を解除する。不正使用防止ロック状態で表示する画面としては種々の画面を用いることができる。不正使用防止ロック状態を解除する操作としては、誤操作防止ロック状態を解除する操作とは異なる種々の操作を設定することができる。不正使用防止ロック状態を解除する操作は、誤操作防止ロック状態を解除する操作よりも複雑な操作とすることが好ましい。また、不正使用防止ロック状態を解除する操作は、利用者が任意に設定した操作とすることが好ましい。携帯電話端末１は、不正使用防止ロック状態を解除した場合、誤検出防止ロック状態に移行しても、後述するホーム画面を表示する状態に移行してもよい。
【００４６】
次に、図４を用いて、携帯電話端末がロック画面を表示している状態でロック解除操作（第１接触操作）が入力された場合に実行する処理について説明する。利用者は、携帯電話端末１のタッチパネル２にロック画面２０を表示している状態で、ステップＳ１１に示すように、オブジェクト２７に指Ｆを接触させる。なお、ステップＳ１１の動作は、上述したステップＳ２と同様の動作である。携帯電話端末１は、タッチパネル２のタッチセンサ２Ａで指Ｆの接触を検出した場合、指Ｆの接触位置に表示しているオブジェクト２７が指定されている状態とし、指Ｆの接触位置の移動に対応して指定されたオブジェクト２７の表示位置を移動させる状態とする。
【００４７】
利用者は、オブジェクト２７の表示位置に指Ｆを接触させた後、ステップＳ１２に示すように、指Ｆをオブジェクト２８まで移動させるスイープ操作を入力する。つまり、利用者は、指Ｆをタッチパネル２に接触させた状態を維持しつつ、指Ｆを矢印β方向に移動させ、指Ｆをオブジェクト２８が表示されている位置まで移動させる。このように、利用者は、オブジェクト２７とオブジェクト２８とを重ねる操作を入力する。携帯電話端末１は、利用者によって入力された、オブジェクト２７に接触した指Ｆをオブジェクト２８まで移動させるスイープ操作を検出した場合、ステップＳ１２に示すロック画面２０ｃを表示させる。ロック画面２０ｃは、オブジェクト２７とオブジェクト２８とが重なった画面である。つまり、携帯電話端末１は、スイープ操作にあわせてオブジェクト２７の表示位置を移動させ、スイープ操作がタッチパネル２のオブジェクト２８まで到達すると、オブジェクト２７をオブジェクト２８に重ねて表示する。本実施形態では、オブジェクト２７の鍵の先が、オブジェクト２８の錠前の鍵穴に刺さっている画像を表示する。
【００４８】
利用者は、その後、オブジェクト２７とオブジェクト２８とが重なっている状態で、指Ｆをタッチパネル２から離す、つまり、オブジェクト２８が表示されている領域を終点としてスイープ操作を終了する。携帯電話端末１は、オブジェクト２８が表示されている領域を終点としてスイープ操作が終了したことを検出した場合、誤操作防止ロック状態を解除し、ステップＳ１３に示すホーム画面４０を表示させる。つまり、携帯電話端末１は、オブジェクト２７をオブジェクト２８に移動させる操作を誤操作防止ロック状態の解除操作として記憶しており、当該操作を検出した場合、誤操作防止ロック状態を解除する。
【００４９】
ステップＳ１３に示すホーム画面４０には、複数のオブジェクト５０が配置されている。それぞれのオブジェクト５０は、特定の機能と予め対応付けられている。携帯電話端末１は、オブジェクト５０に対する特定のジェスチャ（例えば、タップ）を検出すると、そのオブジェクト５０に対応付けられている機能を実行する。例えば、携帯電話端末１は、携帯電話端末１にインストールされているプログラムに対応付けられたオブジェクト５０に対するタップが検出されると、そのオブジェクト５０に対応付けられているプログラムを起動する。
【００５０】
オブジェクト５０は、対応付けられている機能を示す画像と、対応付けられている機能を示す文字列とを含む。オブジェクト５０は、所定の規則に従って配置される。オブジェクト５０の背後には、壁紙４１が表示される。図４に示す例では、無地の画像が壁紙４１として用いられているが、携帯電話端末１は、任意の画像を壁紙４１として表示することができる。携帯電話端末１が壁紙４１として用いる画像は、例えば、利用者の設定に従って決定される。なお、オブジェクト５０は、画像及び文字列の組み合わせに限定されない。例えば、オブジェクト５０は、文字列を含まなくてもよいし、画像を含まなくてもよい。
【００５１】
ホーム画面４０は、複数のページに分割されている。タッチパネル２には、分割されているページの１つが表示される。タッチパネル２に現在表示されているページは、オブジェクト５０の上部に表示されるインジケータ５１によって識別される。インジケータ５１は、それぞれのページに対応するシンボルを含む。そして、インジケータ５１に含まれるシンボルのうち、現在表示されているページに対応するシンボルは、他のシンボルと異なる態様で表示される。
【００５２】
ステップＳ１３に示す例では、４つのシンボルを含むインジケータ５１が表示されている。これは、ホーム画面４０が４つのページに分割されていることを示す。またステップ１３に示す例では、右から２番目のシンボルが他のシンボルと異なる態様で表示されている。これは、右から２番目のページが現在表示されていることを示している。
【００５３】
携帯電話端末１は、特定のジェスチャ（例えば、右あるいは左へのフリック、又は右あるいは左へのスイープ）を検出すると、タッチパネル２の表示部２Ｂに表示されるページを切り替える。例えば、携帯電話端末１は、右へのフリックが検出されると、タッチパネル２に表示されるページを１つ左のページへ切り替える。また、携帯電話端末１は、左へのフリックが検出されると、タッチパネル２に表示されるページを１つ右のページへ切り替える。
【００５４】
タッチパネル２の上端には、ロック画面２０の通知領域２２と同様の通知領域４２が設けられている。通知領域４２には、充電池の残量を示す残量マーク２３、及び通信用の電波の電界強度を示す電波レベルマーク２４等が表示される。このように、通知領域４２は、利用者に対して各種の通知を行うために用いられる。
【００５５】
なお、本実施形態のホーム画面４０は、一例であり、各種の要素の形態、各種の要素の配置、ホーム画面４０を分割するページ数、及びホーム画面４０での各種の操作の仕方等は上記の説明の通りでなくてもよい。
【００５６】
次に、図５に示すフローチャートを用いて、携帯電話端末１の処理について説明する。なお、図５に示す処理手順は、ロック画面制御プログラム９Ｃが提供する機能に基づいて繰り返し実行される。また、図５に示す処理は、利用者によりロック状態に設定され、かつ、省電力モードに移行されている状態で実行される。
【００５７】
携帯電話端末１の制御部１０は、利用者によりロック状態に設定され、かつ、省電力モードに移行されている状態である場合、ステップＳ１０２として、省電力解除操作の入力が検出されたか否かを判定する。なお、本実施形態において、省電力解除操作とは、入力部３（第１ボタン３Ａ等）を介して検出されるクリック操作である。つまり、本実施形態では、利用者がクリック操作を行うことで省電力状態が解除される。
【００５８】
制御部１０は、ステップＳ１０２で、操作部を介して省電力解除操作の入力が検出された（ステップＳ１０２でＹｅｓ）と判定した場合、ステップＳ１０４として、省電力状態を解除して、表示部２Ｂに設定されたロック画面を表示させる。また、制御部１０は、ステップＳ１０４で省電力状態を解除し、タッチパネル２への接触検出が可能な状態とする。
【００５９】
制御部１０は、ステップＳ１０２で操作部を介して省電力解除操作の入力が検出されなかったと判定した（ステップＳ１０２でＮｏ）場合、ステップＳ１０２に進み、ステップＳ１０２に示す処理を実行する。このように制御部１０は、省電力解除操作の入力が検出されたと判定されるまでステップＳ１０２の処理を繰り返す。つまり、制御部１０は、省電力が解除されるまで省電力状態となる。ここで、設定されたロック画面とは、誤検出防止ロック状態のロック画面または不正使用防止ロック状態のロック画面のいずれかを表示させる。なお、本実施形態では、誤検出防止ロック状態とする設定を第１ロック設定とし、不正使用防止ロック状態とする設定を第２ロック設定とする。
【００６０】
制御部１０は、ステップＳ１０４でロック画面を表示させた場合、ステップＳ１０６として、操作部を介してロック解除操作の入力が検出されたか否か、つまりロック解除操作が検出されたかを判定する。なお、本実施形態において、誤検出防止ロック状態の場合、ロック解除操作は、ロック画面上の鍵のオブジェクトを錠前のオブジェクトまで移動させるスイープ操作である。また、不正使用防止ロック状態の場合、所定の軌跡の操作を入力する操作である。
【００６１】
そして、制御部１０は、ステップＳ１０６で操作部を介してロック解除操作の入力が検出された（ステップＳ１０６でＹｅｓ）と判定した場合、ステップＳ１０８として、ロック状態を解除する。なお、ロック状態を解除するとは、表示部２Ｂに表示されたロック画面から、例えばホーム画面または省電力前に起動されていた画面へと表示を切り替えることをいう。
【００６２】
制御部１０は、ステップＳ１０８でロック状態を解除した場合、ステップＳ１１０として、各種動作を実行する。具体的には、制御部１０は、タッチセンサ２Ａや入力部３を介して検出した操作に対応する処理（例えばホーム画面に表示したオブジェクトに対応するアプリケーションの起動、通話、メール送受信、撮像等）を実行する。
【００６３】
制御部１０は、ステップＳ１１０で、各種動作を実行したら、ステップＳ１１２として、操作部を介してロック設定操作の入力が検出されたか否かを判定する。なお、本実施形態において、ロック設定操作とは、入力部３（第１ボタン３Ａ等）を介して検出されるクリック操作である。この他、制御部１０は、操作部（タッチセンサ２Ａおよび入力部３）を介して所定時間、操作入力が検出されなかった場合にロック状態になるよう予め設定してもよい。つまり、操作部を介して操作入力が検出されなかった時間が所定時間を越えた場合、ロック設定操作が入力されたと判定する設定としてもよい。なお、制御部１０は、ステップＳ１１２の処理を一定時間毎に実行してもよいし、操作部を介して操作を検出する毎に実行してもよい。
【００６４】
制御部１０は、ステップＳ１１２で操作部を介してロック設定操作の入力が検出された（ステップＳ１１２でＹｅｓ）と判定した場合、ステップＳ１１４として、携帯電話端末１を第１ロック設定に設定する。ここで、第１ロック設定とは、ロック状態として誤動作防止ロック状態を実行する設定である。制御部１０は、ステップＳ１１４で第１ロック設定を実行したら、画面を省電力状態としてステップＳ１０２に進む。つまり、本実施形態の制御部１０は、ステップＳ１１２で入力部３を介してクリック操作を検出すると、ステップＳ１１４で第１ロック設定とした後、画面の表示を停止し、省電力状態となる。その後、携帯電話端末１は、ステップＳ１０２に進み、ステップＳ１０２の処理を再び実行する。なお、制御部１０は、入力部３を介して検出されるロック設定操作の内容によって設定するロック状態を選択してもよい。例えば、制御部１０は、入力部３を介してロック設定操作としてクリック操作を検出した場合、第１ロック設定とし、一定時間長押しするロングクリック操作を検出した場合、誤操作防止ロック状態ではなく、不正利用防止ロック状態とする設定（後述する第２ロック設定）としてもよい。携帯電話端末１の制御部１０は、ステップＳ１１４でロック状態に設定したら、画面の表示を停止する。
【００６５】
制御部１０は、ステップＳ１１２において操作部を介してロック設定操作の入力が検出されなかった（ステップＳ１１２でＮｏ）と判定した場合、ステップＳ１１０に進み、ステップＳ１１２においてロック設定操作の入力が検出されたと判定されるまで処理を繰り返す。つまり、利用者は、設定画像と対応付けるアプリケーションを設定後、ロック設定操作を行うまで、例えば携帯電話端末１が有するその他の機能（通話機能、メール送受信機能、撮像機能等）を利用する。
【００６６】
次に、制御部１０は、ステップＳ１０６でロック解除操作の入力なし（ステップＳ１０６でＮｏ）と判定した場合、ステップＳ１１６として、操作部を介して高度ロック設定操作の入力が検出されたか否か、つまり高度ロック設定操作が検出されたか否かを判定する。本実施形態の高度ロック設定とは、不正使用防止ロック状態とする設定である。本実施形態において、操作とは、タッチセンサ２Ａを介して検出される、ロック画面上のオブジェクトを画面の外側まで移動させるスイープ操作である。また、ロック状態が不正使用ロック状態の場合、ステップＳ１１６の判定は常に高度ロック設定操作が検出されない（Ｎｏ）となる。
【００６７】
制御部１０は、ステップＳ１１６で操作部を介して高度ロック設定操作の入力が検出された（ステップＳ１１６でＹｅｓ）と判定した場合、ステップＳ１１８として、第２ロック設定とする。ここで、第２ロック設定とは、ロック状態として不正使用防止ロック状態を実行する設定である。制御部１０は、ステップＳ１１８で第２ロック設定を実行したら、ステップＳ１２０として、第２ロック画面、つまり不正使用防止ロック状態の画面を表示部２Ｂに表示し、ステップＳ１０６に進む。
【００６８】
制御部１０は、ステップＳ１１６で操作部を介して高度ロック設定操作の入力が検出されなかった（ステップＳ１１６でＮｏ）と判定した場合、ステップＳ１２２として、操作部を介して何らかの操作の入力が検出されない待機時間が所定の閾値以上であるか否かを判定する。
【００６９】
制御部１０は、ステップＳ１２２で待機時間が所定の閾値以上である（ステップＳ１２２でＹｅｓ）と判定した場合、ステップＳ１２４として省電力モードに移行し、本処理を終了する。制御部１０は、ステップＳ１２２で待機時間が所定の閾値未満である（ステップＳ１２２でＮｏ）と判定した場合、ステップＳ１０６に進む。
【００７０】
このように、携帯電話端末１は、誤操作防止ロック状態のロック画面を表示している状態で、予め設定している高度ロック設定操作（本実施形態では、鍵のオブジェクトを画面外にスイープする操作）を検出した場合は、不正使用防止ロック状態に移行する。これにより、利用者は、誤操作防止ロック状態のロック画面を表示している状態で簡単な操作を入力するのみで、ロック状態を不正使用防止ロック状態とすることができる。これにより、利用者は、普段は誤操作防止ロック状態とし、必要な場合のみ不正使用防止ロック状態とすることができる。例えば、利用者は、携帯電話端末１を携帯している場合は、誤操作防止ロック状態とし、携帯電話端末１から離れる際には、不正使用防止ロック状態とすることができる。
【００７１】
また、携帯電話端末１は、ロック状態を切り換える操作をロック画面上で実行できるため、ロック状態の切り換えを簡単に行うことができる。これにより、利用者は、早急にロック状態を不正使用防止ロック状態としたい場合も簡単にロック状態を切り換えることができる。また、ロック画面上で操作できることで、第三者に対してロック状態を切り換えたことを気づかれにくくすることができる。
【００７２】
また、本実施形態の携帯電話端末１は、鍵のオブジェクトを画面の外にスイープする操作を高度ロック設定操作、つまりロック状態を切り換える操作とすることで、鍵を捨てる操作をロック状態の切り換え操作とすることができる。これにより、利用者は、鍵を捨てる操作が、ロックの解除をより困難にする不正使用防止ロック状態へ移行する操作であると理解することができ、直感的な操作が可能となる。
【００７３】
また、本実施形態の携帯電話端末１は、ロック解除操作、高度ロック設定操作の両方を鍵のオブジェクトに対する操作とすることで、つまり両方の操作の基点を同一にすることで、ロックの設定に対する操作の入力を集約することができ、操作を覚えやすくすることができる。また、本実施形態の携帯電話端末１は、ロック解除操作、高度ロック設定操作の両方の操作の終点を異なる位置とすることで、ロック解除操作の終点（ゴール地点）を錠前のオブジェクトとし、高度ロック設定操作の終点（ゴール地点）を画面の外の領域（実際には画面の縁）とすることで両方の操作をより確実に別の操作として検出することができる。
【００７４】
なお、ロック解除操作および高度ロック設定操作は、上記実施形態に限定されず、種々の操作を用いることができる。以下、図６を用いて、高度ロック設定操作の他の一例を説明する。図６は、携帯電話端末の動作の一例を示す説明図である。
【００７５】
利用者は、携帯電話端末１のタッチパネル２にロック画面２０を表示している状態で、ステップＳ２１に示すように、オブジェクト２７に指Ｆを接触させる。なお、ステップＳ２１の動作は、上述したステップＳ２と同様の動作である。携帯電話端末１は、タッチパネル２のタッチセンサ２Ａで指Ｆの接触を検出した場合、指Ｆの接触位置に表示しているオブジェクト２７が指定されている状態とし、指Ｆの接触位置の移動に対応して指定されたオブジェクト２７の表示位置を移動させる状態とする。
【００７６】
利用者は、オブジェクト２７の表示位置に指Ｆを接触させた後、ステップＳ２２に示すように、指Ｆをオブジェクト２８まで移動させるスイープ操作を入力する。つまり、利用者は、指Ｆをタッチパネル２に接触させた状態を維持しつつ、指Ｆを矢印β方向に移動させ、指Ｆをオブジェクト２８が表示されている位置まで移動させる。このように、利用者は、オブジェクト２７とオブジェクト２８とを重ねる操作を入力する。携帯電話端末１は、利用者によって入力された、オブジェクト２７に接触した指Ｆをオブジェクト２８まで移動させるスイープ操作を検出した場合、ステップＳ２２に示すロック画面２０ｃを表示させる。ロック画面２０ｃは、オブジェクト２７とオブジェクト２８とが重なった画面である。つまり、携帯電話端末１は、スイープ操作にあわせてオブジェクト２７の表示位置を移動させ、スイープ操作がタッチパネル２のオブジェクト２８まで到達すると、オブジェクト２７をオブジェクト２８に重ねて表示する。本実施形態では、オブジェクト２７の鍵の先が、オブジェクト２８の錠前の鍵穴に刺さっている画像を表示する。
【００７７】
利用者は、その後、オブジェクト２７とオブジェクト２８とが重なっている状態で、オブジェクト２７とオブジェクト２８とが重なって表示されている領域内で、指Ｆを時計回り（γ方向）に９０度回転させる。つまり、利用者は、接触位置を略同一領域としたままで指を９０度回転させる操作を入力する。携帯電話端末１は、利用者によって入力された、オブジェクト２７に接触した指Ｆを回転させる操作を検出した場合、ステップＳ２３に示すロック画面２０ｄを表示する。ここで、ロック画面２０ｄは、オブジェクト２７から矢印６０に示す方向（時計回り）に９０度回転したオブジェクト２７ｂを含む画面である。つまり、携帯電話端末１は、回転操作にあわせてオブジェクト２７の表示位置を回転させ、オブジェクト２７が９０度回転したオブジェクト２７ｂをオブジェクト２８に重ねて表示する。
【００７８】
その後、利用者は、タッチパネル２から指Ｆを離す、つまり、オブジェクト２８が表示されている領域を終点とし、かつ、指Ｆを９０度回転させた位置で操作を終了する。携帯電話端末１は、オブジェクト２８が表示されている領域を終点としてスイープ操作が終了し、かつ、オブジェクト２８が表示されている領域で指Ｆが９０度回転したことを検出した場合、ロック状態を誤操作防止ロック状態から不正使用防止ロック状態に切り換え、ステップＳ２４に示すロック画面２０ｂを表示させる。つまり、携帯電話端末１は、オブジェクト２７をオブジェクト２８に重ね、その後、オブジェクト２７とオブジェクト２８とが重なる位置で、オブジェクト２７（指Ｆ）を９０度回転させる操作を不正使用防止ロック状態に移行する操作として記憶しており、当該操作を検出した場合、誤操作防止ロック状態から不正使用防止ロック状態に移行する。
【００７９】
携帯電話端末１は、オブジェクト２７とオブジェクト２８とが重なる位置で、オブジェクト２７（指Ｆ）を９０度回転させる操作を不正使用防止ロック状態に移行する操作としてもよい。携帯電話端末１は、鍵のオブジェクトを錠前のオブジェクトの鍵穴の部分で回転させる操作を、不正使用防止ロック状態に移行する操作とすることで、鍵穴に鍵を指して回転させる操作、つまり鍵をかける際に実際に実行する操作を模した操作を、ロックの解除をより困難にする不正使用防止ロック状態へ移行する操作であると理解することができ、直感的な操作が可能となる。
【００８０】
また、携帯電話端末１は、高度ロック設定操作（第２接触操作）に指Ｆを回転させる操作を含めることで、ロック解除操作（第１接触操作）との操作を識別しやすくすることができる。
【００８１】
また、携帯電話端末１は、ロック解除操作（第１接触操作）と高度ロック設定操作（第２接触操作）とを軌跡が異なる操作としてもよい。つまり、携帯電話端末１は、ロック解除操作（第１接触操作）の軌跡と高度ロック設定操作（第２接触操作）の軌跡とを変更することでも、ロック解除操作と高度ロック設定操作との識別を容易に検出することができる。また、ロック解除操作（第１接触操作）と高度ロック設定操作（第２接触操作）とを軌跡が異なる操作とすることで、操作のスタート地点とゴール地点が同じ場合でも、２つの操作を識別することが可能となる。
【００８２】
また、上記実施形態では、高度ロック設定操作のスタート地点（接触を開始する位置）をロック解除のスタート地点と同じとしたが、つまり、ロック解除を入力する際に移動させるオブジェクトを操作する操作を高度ロック設定操作としたが、これに限定されない。以下、図７および図８を用いて他の一例について説明する。ここで、図７は、ロック画面の一例を示す説明図である。図８は、携帯電話端末の動作の一例を示す説明図である。
【００８３】
図７に示すロック画面８０は、時計画像２５とオブジェクトユニット２６とオブジェクト８２とが配置されている。時計画像２５は、現在の日時を表示する画像であり、時間とともに表示される日時が変化する。オブジェクトユニット２６は、表示している画面が誤操作防止ロック状態であることを示し、かつ、誤操作防止ロック状態を解除する操作を入力する対象のオブジェクトのユニットであり、オブジェクト２７と、オブジェクト２８と、メッセージ２９と、を有する。なお、オブジェクトユニット２６は、上述した各実施形態のオブジェクトユニット２６と同様の機能を備えている。
【００８４】
また、ロック画面８０は、時計画像２５とオブジェクトユニット２６の背後に、壁紙２１が表示される。タッチパネル２の上端には、通知領域２２が設けられている。通知領域２２には、充電池の残量を示す残量マーク２３、及び通信用の電波の電界強度を示す電波レベルマーク２４等が表示される。
【００８５】
オブジェクト８２は、錠前、具体的には南京錠の画像であり、画面がロック状態であることを示すオブジェクト、つまりロック状態表示オブジェクトである。携帯電話端末１は、ロック状態である場合は、タッチパネル２にオブジェクト８２を表示させる。オブジェクト８２は、ロック状態が、誤検出防止ロック状態の場合と、不正使用防止ロック状態の場合とで異なる表示となる。この点については、高度ロック設定操作とともに以下で説明する。
【００８６】
次に、図８を用いて、ロック画面８０を表示する場合の、高度ロック設定操作の一例を説明する。携帯電話端末１は、ロック画面８０を表示する場合、オブジェクト８２に対して入力する所定の操作を高度ロック設定操作とすることができる。
【００８７】
携帯電話端末１は、不正使用防止ロック状態の場合、ステップＳ３１に示すオブジェクト８２を表示する。ここで、オブジェクト８２は、錠前が外れた状態、つまり錠前が開錠している状態の画像である。
【００８８】
利用者は、携帯電話端末１のタッチパネル２の画面８０にオブジェクト８２を表示している状態で、ステップＳ３２に示すように、オブジェクト８２に指Ｆａと指Ｆｂを接触させる。利用者は、オブジェクト８２の表示位置に指Ｆを接触させた後、指Ｆａと指Ｆｂをタッチパネル２に接触した状態を維持したまま、指Ｆａと指Ｆｂとを近づける方向に移動させる。つまり、指Ｆａを指Ｆｂに向かう方向（矢印９０に示す方向）に移動させ、指Ｆｂを指Ｆａに向かう方向（矢印９２に示す方向）に移動させる。
【００８９】
その後、利用者は、タッチパネル２から指Ｆａ、Ｆｂを離し、操作を終了する。携帯電話端末１は、オブジェクト８２が表示されている領域に２点の接触操作を検出し、さらにその後２点の接触位置が近づく操作を検出した場合、ロック状態を誤操作防止ロック状態から不正使用防止ロック状態に切り換え、ステップＳ３３に示すオブジェクト８２ａを表示させる。ここで、オブジェクト８２ａは、錠前が施錠された状態の画像である。つまり、携帯電話端末１は、オブジェクト８２に対するピンチイン操作を不正使用防止ロック状態に移行する操作として記憶しており、当該操作を検出した場合、誤操作防止ロック状態から不正使用防止ロック状態に移行する。
【００９０】
このように、携帯電話端末１は、ロック解除の操作を入力する対象のオブジェクトとは異なるオブジェクトに対する操作を高度ロック設定操作とすることができる。
【００９１】
また、携帯電話端末１は、図８に示すように、操作対象のオブジェクトを、誤操作防止ロック状態の場合は、開錠した画像のオブジェクト８２とし、不正使用防止ロック状態の場合は、施錠した画像のオブジェクト８２ａとすることで、ロック状態を把握しやすくすることができる。
【００９２】
また、携帯電話端末１は、図８に示すように、高度ロック設定操作をオブジェクト８２、８２ａに対するピンチイン操作とすることで、錠前を閉じる動作を模した操作を高度ロック設定操作とすることができる。これにより、利用者は、錠前を閉じる動作を模した操作がロックの解除をより困難にする不正使用防止ロック状態へ移行する操作であると理解することができ、直感的な操作が可能となる。
【００９３】
また、高度ロック設定操作は、錠前を閉じる動作を模した操作に限定されず、種々の操作とすることができる。ここで、高度ロック設定操作は、ロック状態を示すオブジェクト（ロック状態表示オブジェクト）の状態を変化させることを示唆する操作とすることが好ましい。このように、ロック状態表示オブジェクトの状態を変化させることを示唆する操作好ましくは、ロック状態表示オブジェクトをより解除しにくい状態に変化することを示唆する操作を高度ロック設定操作とすることで、利用者が高度ロック設定操作を直感的に理解することができ、操作性を向上させることができる。
【００９４】
また、上記実施形態の携帯電話端末１は、オブジェクトユニット２６とは別に表示させた錠前のオブジェクト８２に対する操作を高度ロック設定操作としたが、オブジェクトユニット２６を構成する錠前のオブジェクト２８に対する同様の操作を高度ロック設定操作としてもよい。
【００９５】
携帯電話端末１は、図７および図８に示す例で、タッチパネル２にオブジェクトユニット２６とオブジェクト８２の両方を表示したが、オブジェクトユニット２６を表示させずにオブジェクト８２のみを表示させてもよい。なお、この場合は、ロック解除操作を上記実施形態とは異なる操作（例えば、入力部３の特定のボタンの長押下、任意の位置のスイープ操作）とする。
【００９６】
また、上記実施形態では、操作の入力を直感的に判断しやすく、また操作の入力位置も把握しやすいため、ロック解除操作（第１接触操作）、高度ロック設定操作（第２接触操作）をともにオブジェクトに対する操作をしたが、これに限定されない。ロック解除操作（第１接触操作）と高度ロック設定操作（第２接触操作）とは、オブジェクト以外に入力する接触操作をすることができる。
【符号の説明】
【００９７】
１  携帯電話端末（携帯電子機器）
２  タッチパネル
２Ａ  タッチセンサ（操作部）
２Ｂ  表示部
３  入力部（操作部）
３Ａ  第１ボタン
３Ｂ  第２ボタン
５  電源部
６  通信部
７  レシーバ
８  マイク
９  記憶部
９Ａ  メールプログラム
９Ｂ  ブラウザプログラム
９Ｃ  ロック画面制御プログラム
９Ｄ  ロック画面データ
１０  制御部
１１  ＲＡＭ
１５  筐体
【図１】
2013051680.tif 000003
【図２】
2013051680.tif 000004
【図３】
2013051680.tif 000005
【図４】
2013051680.tif 000006
【図５】
2013051680.tif 000007
【図６】
2013051680.tif 000008
【図７】
2013051680.tif 000009
【図８】
2013051680.tif 000010